(57)【要約】【課題】収納域への収納作業を簡易なものとすること。【解決手段】上面２１１ａが商品を載置する載置面を構成し、前後方向に沿ってスライド可能に設けられた載置部２１と、載置部２１の前端面より離隔する態様でアーム部材２５を介して載置部２１に設けられ、載置部２１との間に吸込口２６を形成するフェンス部２２とを備え、ショーケースのケース本体１における収納室２の底部を構成するデッキ２０において、アーム部材２５は、フェンス部２２を載置部２１の下方に形成された収納域Ｓの前方部分を閉塞する閉塞姿勢と該収納域Ｓの前方部分を開放する開放姿勢との間で変位可能に支持するものである。【選択図】図４
2019092724.tif 000002
【特許請求の範囲】
【請求項１】
上面が商品を載置する載置面を構成し、前後方向に沿ってスライド可能に設けられた載置部と、
前記載置部の前端面より離隔する態様で支持部材を介して該載置部に設けられ、かつ該載置部との間に吸込口を形成するフェンス部と
を備え、
ショーケースのケース本体における収納室の底部を構成するデッキにおいて、
前記支持部材は、前記フェンス部を前記載置部の下方に形成された収納域の前方部分を閉塞する閉塞姿勢と該収納域の前方部分を開放する開放姿勢との間で変位可能に支持することを特徴とするデッキ。
【請求項２】
前記支持部材は、前記載置部に揺動可能に取り付けられ、常態においては前記フェンス部を前記閉塞姿勢に配置させることを特徴とする請求項１に記載のデッキ。
【請求項３】
前記支持部材は、上下方向に沿って揺動する態様で前記載置部に取り付けられ、常態においては前記フェンス部を前記閉塞姿勢に配置させる一方、上方に向けて揺動する場合には前記フェンス部を前記開放姿勢に変位させることを特徴とする請求項１に記載のデッキ。
【発明の詳細な説明】
【技術分野】
【０００１】
本発明は、デッキに関し、より詳細には、ショーケースのケース本体における収納室の底部を構成するデッキに関するものである。
【背景技術】
【０００２】
従来、前方部分に前面開口を有するケース本体の収納室に商品載置棚が上下方向に沿って複数段設けられ、各商品載置棚に商品が載置されて陳列されたオープンショーケースと称されるショーケースが知られている。
【０００３】
このようなショーケースでは、収納室の底部を構成するデッキが設けられている。デッキは、載置部とフェンス部とを備えて構成されている。載置部は、上面が商品を載置する載置面を構成しており、前後方向に沿ってスライド可能に設けられている。
【０００４】
フェンス部は、載置部の前端面より離隔する態様で該載置部に設けられており、該載置部との間に吸込口を形成している。つまり、フェンス部は、載置部とともに前後方向に沿ってスライド可能である。このフェンス部は、上端部が載置部の上面より上方に突出している。
【０００５】
かかるデッキは、載置部が最も後方に設置される場合に、上記吸込口が収納室の前方下部に開口する吸込連絡口の上方に配置され、該吸込口を通じて収納室の空気が吸い込まれることを許容している。そしてデッキは、フェンス部により吸込口に吸い込まれるべき空気がケース本体の前方域に流れてしまういわゆる冷気漏れが生じてしまうことを抑制している（例えば、特許文献１参照）。
【先行技術文献】
【特許文献】
【０００６】
【特許文献１】特開２０１５−１１６２０２号公報
【発明の概要】
【発明が解決しようとする課題】
【０００７】
ところで、収納室を上下に区画して異なる２つの温度帯に調整する中間ダクト等の仕切部材が適用されるショーケースが知られている。このようなショーケースでは、収納室を１つの温度帯に調整する場合、仕切部材を取り外し、デッキを構成する載置部の下方に形成された収納域に仕切部材を収納することになる。
【０００８】
しかしながら、載置部にはフェンス部が設けられているので、収納域に仕切部材を収納する際には、フェンス部を載置部から一旦取り外す必要があり、収納域への収納作業が煩雑なものとなっていた。
【０００９】
本発明は、上記実情に鑑みて、収納域への収納作業を簡易なものとすることができるデッキを提供することを目的とする。
【課題を解決するための手段】
【００１０】
上記目的を達成するために、本発明に係るデッキは、上面が商品を載置する載置面を構成し、前後方向に沿ってスライド可能に設けられた載置部と、前記載置部の前端面より離隔する態様で支持部材を介して該載置部に設けられ、かつ該載置部との間に吸込口を形成するフェンス部とを備え、ショーケースのケース本体における収納室の底部を構成するデッキにおいて、前記支持部材は、前記フェンス部を前記載置部の下方に形成された収納域の前方部分を閉塞する閉塞姿勢と該収納域の前方部分を開放する開放姿勢との間で変位可能に支持することを特徴とする。
【００１１】
また本発明は、上記デッキにおいて、前記支持部材は、前記載置部に揺動可能に取り付けられ、常態においては前記フェンス部を前記閉塞姿勢に配置させることを特徴とする。
【００１２】
また本発明は、上記デッキにおいて、前記支持部材は、上下方向に沿って揺動する態様で前記載置部に取り付けられ、常態においては前記フェンス部を前記閉塞姿勢に配置させる一方、上方に向けて揺動する場合には前記フェンス部を前記開放姿勢に変位させることを特徴とする。
【発明の効果】
【００１３】
本発明によれば、支持部材が、フェンス部を載置部の下方に形成された収納域の前方部分を閉塞する閉塞姿勢と該収納域の前方部分を開放する開放姿勢との間で変位可能に支持するので、フェンス部を取り外すことなく開放姿勢にさせるだけで収納域への収納が可能になり、収納域への収納作業を簡易なものとすることができるという効果を奏する。
【図面の簡単な説明】
【００１４】
【図１】図１は、本発明の実施の形態であるデッキが適用されたショーケースの内部構造を右方から見た場合を示す断面側面図である。
【図２】図２は、図１に示したデッキの要部を拡大して示す拡大平面図である。
【図３】図３は、図１に示したデッキの要部を拡大して示すもので、前方から見た場合を示す縦断面図である。
【図４】図４は、図１に示したデッキの要部を拡大して示す断面側面図である。
【図５】図５は、図１に示したデッキの要部を拡大して示す断面側面図である。
【発明を実施するための形態】
【００１５】
以下に添付図面を参照して、本発明に係るデッキの好適な実施の形態について詳細に説明する。
【００１６】
図１は、本発明の実施の形態であるデッキが適用されたショーケースの内部構造を右方から見た場合を示す断面側面図である。ここで例示するショーケースは、ケース本体１を備えている。
【００１７】
ケース本体１は、前面に開口（以下、前面開口ともいう）１ａが形成された直方状の断熱筐体であり、その内部には収納室２が画成されているとともに、空気循環手段３が設けられている。
【００１８】
収納室２は、上記前面開口１ａを臨む態様で画成された室であり、複数（図示の例では４つ）の商品載置棚１０が上下方向に沿って並べて設けられているとともに、デッキ２０が設けられている。このデッキ２０は、収納室２の底部を構成するものであり、詳細は後述する。
【００１９】
空気循環手段３は、空気通路４と循環ファン５とを備えて構成されている。空気通路４は、吸込連絡口６から吹出口７に至る空気の通路である。吸込連絡口６は、収納室２の前方下部に開口しており、左右方向に延設されている。吹出口７は、収納室２の前方上部に開口しており、左右方向に延設されている。
【００２０】
このような空気通路４は、収納室２の外部であってその下方側にある下側ダクト４ａと、収納室２の外部であってその背面側にある背面側ダクト４ｂと、収納室２の外部であってその上方側にある上側ダクト４ｃとを互いに連通した態様で構成されている。
【００２１】
循環ファン５は、空気を循環させるものであり、下側ダクト４ａの所定部位に設けられている。本実施の形態においては、循環ファン５は下側ダクト４ａの所定部位に設けられているが、本発明では、循環ファン５の配設個所は特に限定されるものではなく、後述する循環ファン５の機能を発揮することができる個所であればどこに配設しても構わない。
【００２２】
上記空気通路４の背面側ダクト４ｂには、蒸発器８が設けられている。蒸発器８は、図示せぬ圧縮機や凝縮器及び膨張機構とともに冷媒を循環させる冷凍サイクルを構成する。ここに圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。これら圧縮機、凝縮器及び膨張機構は、下側ダクト４ａの下方側となるケース本体１の機械室９に設けられている。
【００２３】
上記蒸発器８は、背面側ダクト４ｂを通過する空気と、膨張機構で断熱膨張させた冷媒とを熱交換させるもの、より詳細には、冷媒を蒸発させることにより背面側ダクト４ｂを通過する空気を冷却するものである。この蒸発器８で蒸発した冷媒は、再び圧縮機に戻り圧縮されることになる。
【００２４】
図２及び図３は、それぞれ図１に示したデッキ２０の要部を拡大して示しており、図２は、拡大平面図であり、図３は、前方から見た場合を示す縦断面図である。ここで例示するデッキ２０は、載置部２１とフェンス部２２とを備えて構成されている。
【００２５】
載置部２１は、棚部材２１１と受部材２１２とを備えている。棚部材２１１は、例えばステンレス等の金属製の板状体の左右両端部及び後端部を上方に屈曲等して形成されたもので、上面２１１ａが商品を載置する載置面を構成している。
【００２６】
受部材２１２は、前後方向が長手方向となる長尺状のものであり、棚部材２１１の下面の左右両端部より下方に向けて延在する態様で設けられた左右一対のものである。この受部材２１２は、互いの内面が対向する態様で設けられており、受部ローラ２１２ａが回転可能に配設されている。
【００２７】
このような受部材２１２は、レール部材２３を介して、収納室２の底面に立設された左右一対のデッキ基部２４の外面に配設されている。ここでレール部材２３は、第１レール部２３１と第２レール部２３２とが互いに背中合わせに接合されて構成されたものである。尚、レール部材２３も、デッキ基部２４や受部材２１２と同様に左右一対のものである。
【００２８】
第１レール部２３１は、縦断面が略コ字状を成し、前後方向が長手方向となる長尺棒状体である。この第１レール部２３１は、デッキ基部２４の外面に設けられた基部ローラ２４ａの進入を許容し、かつ基部ローラ２４ａを転動させるものである。
【００２９】
第２レール部２３２は、縦断面が略コ字状を成し、前後方向が長手方向となる長尺棒状体である。この第２レール部２３２は、受部ローラ２１２ａの進入を許容し、かつ受部ローラ２１２ａを転動させるものである。
【００３０】
このようにレール部材２３は、第１レール部２３１に基部ローラ２４ａが進入して転動することで、デッキ基部２４に対して前後方向に沿ってスライド移動可能なものである。
【００３１】
また、受部材２１２は、受部ローラ２１２ａがレール部材２３の第２レール部２３２に進入して転動することで、レール部材２３に対して前後方向に対してスライド移動可能なものである。つまり、受部材２１２は、レール部材２３を介することで、デッキ基部２４に対して前後方向に沿ってスライド可能に設けられている。
【００３２】
この結果、載置部２１は、ケース本体１に対して前後方向に沿ってスライド可能に設けられており、かかる載置部２１を有するデッキ２０は、収納室２の底部を構成している。また上記載置部２１の下方における左右一対のデッキ基部２４間には、収納域Ｓが形成されている。
【００３３】
フェンス部２２は、例えばアクリル樹脂等の樹脂材から構成された光透過性を有する平板状部材であり、左右方向が長手方向となるものである。このフェンス部２２は、左右一対のアーム部材（支持部材）２５に支持されている。
【００３４】
アーム部材２５は、図４にも示すように、後端部２５ａが受部材２１２の前端部分に例えばネジ等の締結部材２５１を介して取り付けられることで、該締結部材２５１の中心軸回りに揺動可能に設けられている。すなわち、アーム部材２５は、上下方向に沿って揺動可能に設けられている。またアーム部材２５は、互いの前端部２５ｂにてフェンス部２２を挟持している。
【００３５】
このようなアーム部材２５は、常態においては、後端部２５ａの下端縁部分が受部材２１２の外面に形成された規制片２１２ｂに当接することで、下方への揺動が規制されて載置部２１よりも前方に向けて突出している。そして、アーム部材２５は、載置部２１よりも前方に向けて突出することにより、フェンス部２２を載置部２１（棚部材２１１）の前端面より離隔して配置させつつ、その上端部を載置部２１における棚部材２１１の上面２１１ａよりも上方に突出させるとともに、その下端部をケース本体１の前面開口１ａの開口下縁部に近接させて、収納域Ｓの前方部分を閉塞させることができる。
【００３６】
つまり、アーム部材２５は、下方への揺動が規制された状態になることにより、フェンス部２２を、収納域Ｓの前方部分を閉塞させる閉塞姿勢にさせている。ここでフェンス部２２は、閉塞姿勢となる場合、左右一対のアーム部材２５とともに載置部２１との間に吸込口２６を形成している。吸込口２６は、載置部２１が最も後方に配置される場合に、上記吸込連絡口６の上方に位置して該吸込連絡口６に連通している。
【００３７】
上記アーム部材２５は、図５に示すように、下方への揺動が規制された状態から上方に向けて揺動することにより、フェンス部２２を、収納域Ｓの前方部分から離脱させて該前方部分を開放する開放姿勢にさせることができる。このようにアーム部材２５は、フェンス部２２を、収納域Ｓの前方部分を閉塞する閉塞姿勢と該収納域Ｓの前方部分を開放する開放姿勢との間で揺動可能に支持している。
【００３８】
以上のような構成を有するデッキ２０を備えたショーケースにおいては、載置部２１が最も後方に配置される場合において循環ファン５が駆動することにより、吸込口２６を通じて収納室２の内部の空気が吸い込まれ、吸い込まれた空気が吸込連絡口６を経て空気通路４を通過し、その通過途中で蒸発器８に冷却されて吹出口７に至る。吹出口７に至った空気が該吸込口２６を通じて収納室２の内部に吹き出される。このように収納室２の内部に吹き出された空気が吸込口２６に向けて流れることにより、収納室２の前面開口１ａ近傍にエアカーテンが形成される。これにより商品載置棚１０に載置された商品、並びにデッキ２０に載置された商品を所望の温度に冷却することができる。
【００３９】
そして、デッキ２０においては、アーム部材２５が、常態においては載置部２１よりも前方に向けて突出していることにより、フェンス部２２を載置部２１の前端面より離隔して配置させつつ、その上端部を載置部２１における棚部材２１１の上面２１１ａよりも上方に突出させるとともに、その下端部をケース本体１の前面開口１ａの開口下縁部に近接させているので、吸込口２６に向けて流れる空気（冷気）が前方に向けて流れてしまうことを抑制し、これにより冷気が漏れてしまういわゆるコールドアイルの発生を抑止して商品の冷却効率を良好なものとすることができる。また、フェンス部２２により外気、特に冷凍サイクルの排熱により加熱された空気が吸込口２６に吸い込まれることを抑制することができる。
【００４０】
以上説明したように、本実施の形態であるデッキ２０によれば、アーム部材２５が、フェンス部２２を、収納域Ｓの前方部分を閉塞する閉塞姿勢と該収納域Ｓの前方部分を開放する開放姿勢との間で揺動可能に支持しているので、収納室２を上下に区画して異なる２つの温度帯に調整する中間ダクト等の仕切部材Ｗ（図５参照）を収納域Ｓに収納する際には、アーム部材２５を上方に揺動させてフェンス部２２を取り外すことなく開放姿勢にさせるだけでよく、収納域Ｓへの収納作業を簡易なものとすることができる。
【００４１】
以上、本発明の好適な実施の形態について説明したが、本発明はこれに限定されるものではなく、種々の変更を行うことができる。
【００４２】
上述した実施の形態では、アーム部材２５は、載置部２１に上下方向に沿って揺動可能に設けられていたが、本発明においては、支持部材は、フェンス部を載置部の下方に形成された収納域の前方部分を閉塞する閉塞姿勢と該収納域の前方部分を開放する開放姿勢との間で変位可能に支持することができればその形態はどのようなものであってもよい。すなわち、支持部材は、前後方向又は上下方向にスライド可能に載置部に設けられていてもよいし、スライド可能であるとともに揺動可能に載置部に設けられていてもよい。また必要に応じて、フェンス部を閉塞姿勢に維持させるための付勢部材等が設けられてもよい。
【００４３】
上述した実施の形態では、アーム部材２５は、載置部２１を構成する受部材２１２に揺動可能に設けられていたが、本発明においては、支持部材は、載置部に設けられていれば、受部材に限られず、棚部材に設けられていてもよい。
【符号の説明】
【００４４】
１  ケース本体
１ａ  前面開口
２  収納室
３  空気循環手段
４  空気通路
５  循環ファン
６  吸込連絡口
７  吹出口
８  蒸発器
１０  商品載置棚
２０  デッキ
２１  載置部
２１１  棚部材
２１１ａ  上面
２１２  受部材
２２  フェンス部
２３  レール部材
２４  デッキ基部
２５  アーム部材（支持部材）
２５ａ  後端部
２５ｂ  前端部
２５１  締結部材
２６  吸込口
Ｓ  収納域
Ｗ  仕切部材
【図１】
2019092724.tif 000003
【図２】
2019092724.tif 000004
【図３】
2019092724.tif 000005
【図４】
2019092724.tif 000006
【図５】
2019092724.tif 000007